(57)【要約】【課題】ユーザーがＦＡＸ子機裏面からも着信や充電状態を確認できる視認性に優れたＦＡＸ子機発光表示機構を部品点数や工数を増やすことなく提供することを目的とする。【解決手段】本発明のＦＡＸ子機発光表示機構は、ＦＡＸ子機表面の液晶表示部２と、前記液晶表示部２の背面に配設された導光板３と、前記導光板３に光を入射するＬＥＤ４と、ＦＡＸ子機裏面６に形成された裏面発光部９と、を備え、前記導光板３が前記液晶表示部２を照明する液晶表示部照明部３ａと、前記液晶表示部照明部３ａから延設され前記裏面発光部９に端部が配設された端面発光部３ｂと、を備えた構成を有している。【選択図】  図３
2004221958.tif 000002
【特許請求の範囲】
【請求項１】
電話機表面の液晶表示部と、前記液晶表示部の背面に配設された導光板と、前記導光板に光を入射する光源と、電話機裏面に形成された裏面発光部と、を備え、前記導光板が前記液晶表示部を照明する液晶表示部照明部と、前記液晶表示部照明部から延設され前記裏面発光部に端部が配設された端面発光部と、を備えていることを特徴とする発光表示機構。
【請求項２】
前記導光板がＬ字型に形成され、コーナー部の外側がＣ面取りされていることを特徴とする請求項１に記載の発光表示機構。
【請求項３】
前記端面発光部の幅が前記液晶表示部照明部の幅よりも狭く形成されていることを特徴とする請求項１又は２に記載の発光表示機構。
【請求項４】
前記光源が発光ダイオードであることを特徴とする請求項１乃至３のいずれか１に記載の発光表示機構。
【発明の詳細な説明】
【０００１】
【発明の属する技術分野】
本発明は、ＦＡＸ子機発光表示機構に関し、特にユーザーが裏面からも着信や充電状態などを確認できるＦＡＸ子機発光表示機構に関する。
【０００２】
【従来の技術】
近年、家庭用にＦＡＸ機能付電話機が普及しているが、それらの多くは子機を有しており、電話機本体がない部屋などで通話を可能にする便利なものとして利用されている。このＦＡＸ子機はコードレスであるため、ほとんどの場合、充電台に置かれた状態で各所に設置される。
【０００３】
ＦＡＸ子機の表示部には小型で消費電力の小さい液晶ディスプレイ等の液晶表示部が広く用いられ、一般的にこのような液晶表示部は自然発光しないため、暗い場所でも表示された画像が見えるように、液晶表示部の背面側に配設されて液晶表示部の背面から照明する導光板と、前記導光板に光を入射する光源である発光ダイオード（以下、ＬＥＤという）を備えている。
【０００４】
図６は、第一の従来例を示すＦＡＸ子機の一部破断要部側面図である。
【０００５】
図６において、ＦＡＸ子機１０は、本体前面に液晶表示部１１を有し、１２は液晶表示部１１を背面から照明する導光板、１３は基板１４に配設され導光板１２に光を入射する光源となる液晶表示用ＬＥＤ、１５は着信を知らせるための発光表示用ＬＥＤである。
【０００６】
図７は、第ニの従来例を示すＦＡＸ子機の一部破断要部側面図である。
【０００７】
図７において、ＦＡＸ子機２０は、本体前面に液晶表示部２１を有し、２２は液晶表示部２１を背面から照明する液晶表示用導光板、２３は基板２４に配設され液晶表示用導光板２２に光を入射する光源となる液晶表示用ＬＥＤであり、２５は着信を知らせるための発光表示用導光板２６に光を入射する光源となる発光表示用ＬＥＤである。
【０００８】
また、（特許文献１）には「一つのＬＥＤ光源により内外側のＬＣＤを同時に発光させるバックライトを使用する折り畳み式両面液晶表示装置」が開示されている。
【０００９】
【特許文献１】
特開２００２−２８７１４４号公報
【００１０】
【発明が解決しようとする課題】
しかしながら、上記従来の技術では、以下のような課題を有していた。
【００１１】
（１）第一の従来例では、着信をユーザーに知らせるための発光表示用ＬＥＤがＦＡＸ子機天面に配設されているので、全方向から着信を確認することができるが、液晶表示用ＬＥＤとは別に発光表示用ＬＥＤが必要であり、部品点数が増え、工数がかかるという問題点を有していた。
【００１２】
（２）第ニの従来例では、着信をユーザーに知らせるための発光表示用ＬＥＤがＦＡＸ子機裏面に配設されているので、ＦＡＸ子機裏面からも着信を確認することができるが、液晶表示用ＬＥＤ及び液晶表示用導光板とは別に発光表示用ＬＥＤだけでなく、発光表示用導光板も必要であり、部品点数が増え、工数がかかるという問題点を有していた。
【００１３】
（３）（特許文献１）では、着信表示用の第二の液晶表示装置が必要であるため部品点数が増え、かつ、折り畳み状態では第二の液晶表示装置がある一方向のみでしか着信を確認できないという問題点を有していた。
【００１４】
本発明は上記従来の課題を解決するもので、ユーザーがＦＡＸ子機裏面からも着信や充電状態を確認できる視認性に優れたＦＡＸ子機発光表示機構を部品点数や工数を増やすことなく提供することを目的とする。
【００１５】
【課題を解決するための手段】
上記課題を解決するために本発明のＦＡＸ子機発光表示機構は、ＦＡＸ子機表面の液晶表示部と、前記液晶表示部の背面に配設された導光板と、前記導光板に光を入射する光源と、ＦＡＸ子機裏面に形成された裏面発光部と、を備え、前記導光板が前記液晶表示部を照明する液晶表示部照明部と、前記液晶表示部照明部から延設され前記裏面発光部に端部が配設された端面発光部と、を備えた構成を有している。
【００１６】
この構成により、ユーザーがＦＡＸ子機裏面からも着信や充電状態を確認できる視認性に優れたＦＡＸ子機発光表示機構を部品点数や工数を増やすことなく提供することができる。
【００１７】
【発明の実施の形態】
本発明の請求項１に記載のＦＡＸ子機発光表示機構は、ＦＡＸ子機表面の液晶表示部と、前記液晶表示部の背面に配設された導光板と、前記導光板に光を入射する光源と、ＦＡＸ子機裏面に形成された裏面発光部と、を備え、前記導光板が前記液晶表示部を照明する液晶表示部照明部と、前記液晶表示部照明部から延設され前記裏面発光部に端部が配設された端面発光部と、を備えた構成を有している。
【００１８】
この構成により、以下のような作用を有する。
【００１９】
（１）液晶表示部の背面に配設されて液晶表示部を照明する導光板の一部である導光板の端面をＦＡＸ子機裏面の発光表示に用いるので、部品点数を増やすことなく、ＦＡＸ子機発光表示機構を追加できる。
【００２０】
（２）導光板の一端をＦＡＸ子機裏面に露出するよう延設し、その導光板の端面を発光表示させるので、ＦＡＸ子機裏面からも着信を確認することができる。
【００２１】
ここで、導光板は透明な樹脂で成型され、アクリルなどが好適に用いられる。
【００２２】
なお、液晶表示部に均一に光を伝達するために、導光板の表面には凹凸を設けてもよい。ここで、ＦＡＸ子機裏面には導光板の端面発光部を露出させるための穴が穿設されるが、端面発光部を挿入し易いように内側にガイド部を突設したり、穴にテーパーを設けたりすることが好ましい。また、端面発光部を保護するためにカバーを設けてもよい。
【００２３】
なお、ＦＡＸ子機裏面の発光表示は、着信を知らせるだけでなく、ＦＡＸ子機の充電状態を知らせることもできる。
【００２４】
本発明の請求項２に記載のＦＡＸ子機発光表示機構は、請求項１に記載のＦＡＸ子機発光表示機構であって、前記導光板がＬ字型に形成され、コーナー部の外側がＣ面取りされている構成を有している。
【００２５】
この構成により、請求項１の作用に加え、以下のような作用を有する。
【００２６】
（１）導光板がＬ字型に形成され、コーナー部がＣ面取りされることにより、光源からの光を端面発光部へ反射させ、効率的にＦＡＸ子機裏面まで伝達することができる。
【００２７】
本発明の請求項３に記載のＦＡＸ子機発光表示機構は、請求項１又は２に記載のＦＡＸ子機発光表示機構であって、前記端面発光部の幅が前記液晶表示部照明部の幅よりも狭く形成されているという構成を有している。
【００２８】
この構成により、請求項１又は２の作用に加え、以下のような作用を有する。
【００２９】
（１）端面発光部の幅を液晶表示部照明部の幅よりも狭くするにより、光が端面発光部において集光されるので、発光表示を明るくすることができる。
【００３０】
本発明の請求項４に記載のＦＡＸ子機発光表示機構は、請求項１乃至３の内いずれか１項に記載のＦＡＸ子機発光表示機構であって、前記光源がＬＥＤである構成を有している。
【００３１】
この構成により、請求項１乃至３の内いずれか１項の作用に加え、以下のような作用を有する。
【００３２】
（１）光源にＬＥＤを用いるので、ＦＡＸ子機発光表示機構を振動に強く長寿命にできる。
【００３３】
（２）光源にＬＥＤを用いるので、ＦＡＸ子機発光表示機構を低電圧、低電流で発光させることができる。
【００３４】
ここで、光源としてＲ（赤）、Ｇ（緑）、Ｂ（青）の三色のＬＥＤが配設されていれば、それらの発光の組み合わせにより、着信時の発光色を好みの色に変更することができる。また、予め特定の相手に対して、発光色を設定しておけば、電話に出る前に電話相手を特定することが可能となる。さらに、ＦＡＸ子機の充電状態を発光色の違いで段階的に表示することもできる。例えば、赤はエンプティ、黄色は充電中、緑は充電完了といったようにしておけば、充電状態を一目で確認することができる。
【００３５】
（実施の形態１）
本発明の実施の形態１におけるＦＡＸ子機発光表示機構について、以下図面を用いて説明する。
【００３６】
図１は本発明の実施の形態１におけるＦＡＸ子機発光表示機構を備えたＦＡＸ子機の全体平面図であり、図２は本発明の実施の形態１におけるＦＡＸ子機発光表示機構を備えたＦＡＸ子機の全体斜視図であり、図３は本発明の実施の形態１におけるＦＡＸ子機発光表示機構を備えたＦＡＸ子機の一部破断要部側面図である。
【００３７】
図１乃至図３中、１は本発明の実施の形態１におけるＦＡＸ子機、２は液晶表示部、３は液晶表示部２の背面に配設され液晶表示部２を照明する液晶表示部照明部３ａと、液晶表示部照明部３ａから延設されガイド部８にガイドされてＦＡＸ子機裏面６の裏面発光部９に端部が配設され発光表示する端面発光部３ｂと、からなる導光板である。４は液晶表示部２の下端部に導光板３の液晶表示部照明部３ａを介して液晶表示部２と対向するよう基板５上に配設され、導光板３に光を入射する光源となるＬＥＤである。
【００３８】
次に、本発明の実施の形態１におけるＦＡＸ子機発光表示機構の詳細について説明する。図４は本発明の実施の形態１におけるＦＡＸ子機発光表示機構の要部断面図であり、図５は本発明の実施の形態１におけるＦＡＸ子機発光表示機構の要部斜視図である。
【００３９】
図４において、基板５上に配設されたＬＥＤ４の光は、導光板３の液晶表示部照明部３ａ内を反射しつつ下端部から上端部へと進み、液晶表示部２を照明する。液晶表示部照明部３ａの上端部に達した光は、さらにコーナー部７で反射され、ＦＡＸ子機裏面６の裏面発光部９に配設された端面発光部３ｂの端部まで伝達されて発光表示し、着信を知らせる。
【００４０】
図５において、ＦＡＸ子機裏面６に露出する端面発光部３ｂの幅ｗ１は液晶表示部照明部３ａの幅ｗ２よりも狭くなっており、これにより、端面発光部３ｂにおいて光を集光し、発光表示を明るくしている。
【００４１】
ここで、光源であるＬＥＤ４はＲ（赤）、Ｇ（緑）、Ｂ（青）の三色が配設されており、これらの発光の組み合わせにより、発光色を好みの色に変更することができる。
【００４２】
以上のように実施の形態１におけるＦＡＸ子機発光表示機構は構成されているので、以下の作用を有する。
【００４３】
（１）液晶表示部の背面に配設されて液晶表示部を照明する導光板の一部である導光板の端面をＦＡＸ子機裏面の発光表示に用いるので、部品点数を増やすことなく、ＦＡＸ子機発光表示機構を追加できる。
【００４４】
（２）導光板の一端をＦＡＸ子機裏面に露出するよう延設し、その導光板の端面を発光表示させるので、ＦＡＸ子機裏面からも着信や充電状態を確認することができる。
【００４５】
（３）導光板のコーナー部をＣ面取りすることにより、光源からの光を端面発光部へ反射させ、効率的にＦＡＸ子機裏面の裏面発光部まで伝達することができる。
【００４６】
（４）ＦＡＸ子機裏面に露出する端面発光部の幅を液晶表示部照明部の幅よりも狭くすることにより、端面発光部において光を集光し、発光表示を明るくすることができる。
【００４７】
（５）光源にＬＥＤを用いるので、ＦＡＸ子機発光表示機構を振動に強く長寿命にできる。
【００４８】
（６）光源にＬＥＤを用いるので、ＦＡＸ子機発光表示機構を低電圧、低電流で発光させることができる。
【００４９】
（７）光源のＬＥＤがＲ（赤）、Ｇ（緑）、Ｂ（青）の三色であるので、これらの発光の組み合わせにより、着信時の発光色を好みの色に変更することができる。
【００５０】
（８）光源のＬＥＤがＲ（赤）、Ｇ（緑）、Ｂ（青）の三色であるので、予め特定の相手に対して、発光色を設定することにより、電話に出る前に電話相手を特定することができる。
【００５１】
（９）光源のＬＥＤがＲ（赤）、Ｇ（緑）、Ｂ（青）の三色であるので、ＦＡＸ子機の充電状態を発光色の違いで、段階的に表示することができる。
【００５２】
【発明の効果】
以上のように、本発明のＦＡＸ子機発光表示機構によれば、以下のような有利な効果が得られる。
【００５３】
請求項１に記載の発明によれば、以下のような効果を有する。
【００５４】
（１）液晶表示部の背面に配設されて液晶表示部を照明する導光板の一部である導光板の端面をＦＡＸ子機裏面の発光表示に用いるので、部品点数や工数を増やすことなく、ＦＡＸ子機発光表示機構を追加して、機能性に優れたＦＡＸ子機発光表示機構を提供することができる。
【００５５】
（２）導光板の一端をＦＡＸ子機裏面に露出するよう延設し、その導光板の端面を発光表示させるので、ＦＡＸ子機裏面からも着信や充電状態を確認することができ、機能性、操作性に優れたＦＡＸ子機発光表示機構を提供することができる。
【００５６】
請求項２に記載の発明によれば、請求項１の効果に加え、以下のような効果を有する。
【００５７】
（１）導光板のコーナー部をＣ面取りすることにより、光源からの光を端面発光部へ反射させ、効率的にＦＡＸ子機裏面の裏面発光部まで伝達することができるので、視認性に優れたＦＡＸ子機発光表示機構を提供することができる。
請求項３に記載の発明によれば、請求項１又は２の効果に加え、以下のような効果を有する。
【００５８】
（１）端面発光部の幅を液晶表示部照明部の幅よりも狭く形成することにより、光が端面発光部において集光され、発光表示を明るくすることができるので、視認性に優れたＦＡＸ子機発光表示機構を提供することができる。
請求項４に記載の発明によれば、請求項１乃至３の内いずれか１項の効果に加え、以下のような効果を有する。
【００５９】
（１）光源にＬＥＤを用いるので、ＦＡＸ子機発光表示機構を振動に強く長寿命にでき、信頼性に優れたＦＡＸ子機発光表示機構を提供することができる。
【００６０】
（２）光源にＬＥＤを用いるので、ＦＡＸ子機発光表示機構を低電圧、低電流で発光させることができ、省資源性に優れたＦＡＸ子機発光表示機構を提供することができる。
【図面の簡単な説明】
【図１】本発明の実施の形態１におけるＦＡＸ子機発光表示機構を備えたＦＡＸ子機の全体平面図
【図２】本発明の実施の形態１におけるＦＡＸ子機発光表示機構を備えたＦＡＸ子機の全体斜視図
【図３】本発明の実施の形態１におけるＦＡＸ子機発光表示機構を備えたＦＡＸ子機の一部破断要部側面図
【図４】本発明の実施の形態１におけるＦＡＸ子機発光表示機構の要部断面図
【図５】本発明の実施の形態１におけるＦＡＸ子機発光表示機構の要部斜視図
【図６】第一の従来例を示すＦＡＸ子機の一部破断要部側面図
【図７】第ニの従来例を示すＦＡＸ子機の一部破断要部側面図
【符号の説明】
１  ＦＡＸ子機
２  液晶表示部
３  導光板
３ａ  液晶表示部照明部
３ｂ  端面発光部
４  ＬＥＤ
５  基板
６  ＦＡＸ子機裏面
７  コーナー部
８  ガイド部
９  裏面発光部
１０  ＦＡＸ子機
１１  液晶表示部
１２  導光板
１３  液晶表示用ＬＥＤ
１４  基板
１５  発光表示用ＬＥＤ
２０  ＦＡＸ子機
２１  液晶表示部
２２  液晶表示用導光板
２３  液晶表示用ＬＥＤ
２４  基板
２５  発光表示用ＬＥＤ
２６  発光表示用導光板
ｗ１  端面発光部の幅
ｗ２  液晶表示部照明部の幅
【図１】
2004221958.tif 000003
【図２】
2004221958.tif 000004
【図３】
2004221958.tif 000005
【図４】
2004221958.tif 000006
【図５】
2004221958.tif 000007
【図６】
2004221958.tif 000008
【図７】
2004221958.tif 000009